(57)【要約】    水銀を含んでいないボタン型アルカリ電池である。電池は陽極容器、陰極蓋体、陽極混合物と陰極混合物を有する。上記陰極蓋体は外周面に沿って折り返された折返し部を有し、陽極混合物と陰極混合物の中に隔離板を介在させ、隔離板の上にガスケットを設ける。ガスケットは底部と外壁を有する。上記陽極容器の開ロ端縁とガスケットの壁の上縁が陰極蓋体の方向に向つて曲つて、ガスケツトの外壁の上縁が陰極蓋体の折返し部を締めつけ、かつ、陰極蓋体の外表面に接触し、陰極蓋体の折返し部およびガスケットの底部と外壁の間には封止剤層が設けられる。本実用新案のアルカリ電池は封止剤層によつて密封されるから、電解液の漏れを防止し得、かつ加工の困難も軽減される。
0003131145.tif 000002
【実用新案登録請求の範囲】
【請求項１】
陽極容器、陰極蓋体、陽極混合物および陰極混合物を有し、前記陰極蓋体がその外周面に沿って折り返された折返し部を有し、陽極容器と陰極蓋体との間に隔離板を介在させ、隔離板の上方にガスケットを設け、該ガスケットが底部と外壁を有するボタン型アルカリ電池において、前記陽極容器の開ロ端縁と前記ガスケットの外壁の上縁が陰極蓋体の方向に向つて曲がり、ガスケットの外壁の上縁が陰極蓋体の折返し部を締めつけ、かつ、陰極蓋体の外表面に接触して、陰極蓋体の折返し部およびガスケットの底部と外壁の間に封止剤層を設けることを特徴とするボタン型アルカリ電池。
【請求項２】
請求項１に記載のボタン型アルカリ電池において、前記ガスケットがさらに内壁を有し、ガスケットの底部と外壁と内壁の間に槽が形成され、陰極蓋体の折返し部がガスケットの槽の中に収納され、陰極蓋体の折返し部とガスケットの底部、外壁、内壁の間に封止剤層が設けられることを特徴とするボタン型アルカリ電池。
【請求項３】
請求項２に記載のボタン型アルカリ電池において、ガスケットの内壁の厚さが上縁方向に沿って次第に減少することを特徴とするボタン型アルカリ電池。
【請求項４】
請求項１に記載のボタン型アルカリ電池において、当ボタン型アルカリ電池は、さらに、隔離套部を有し、該隔離套部の形が陰極蓋体の内壁の形と対応し、かつ封止剤によって陰極蓋体の内壁附与され、隔離層の底部がガスケットの底部に固定され、かつ、ガスケットの底部と外壁とが一つの槽を形成し、陰極蓋体の折返し部が槽の中に収納され、陰極蓋体の折返し部と隔離套部、ガスケットの底部と外壁の間に封止剤層を設けることを特徴とするボタン型アルカリ電池。
【請求項５】
請求項１に記載のボタン型アルカリ電池において、陰極蓋体の折返し部がU字状であることを特徴とするボタン型アルカリ電池。
【考案の詳細な説明】
【技術分野】
【０００１】
本実用新案は一種の電池に関する、特に電子腕時計、電子卓上計算機などに使用される小型電子機器のボタン型アルカリ電池に関する。
【従来的技術】
【０００２】
従来のボタン型アルカリ電池の製造方法：
図１に示すように、陽極容器１内には二酸化マンガンを活性物質とする陽極混合物４が収容され、陰極蓋体２は鉄を基材として、外層としてニッケル層が電気メッキにより設けられ、内層としてインジウム、錫あるいは銅層が電気メッキにより設けられ、ガスケット（絶縁体環体）で被覆する。陰極蓋体２内には水銀を含まない亞鉛粉末または亞鉛合金粉末を陰極活性物質とする陰極混合物５が収容され、隔膜６が陽極混合物４と陰極混合物５を離隔し、アルカリ電解液が注入されて、ポンチで専用封止金型を用い、ポンチによって封止かつ成形する。
【０００３】
この類型のボタン型アルカリ電池では、陰極混合物の成分として、５水銀を含まない亞鉛または亞鉛合金を使用することによって、貯蔵保存期間中に水素ガスが発生することがあり、かつ、電池の内圧上昇による電解液の漏出の発生を招くという不都合がある。もしアマルガム化した汞化亞鉛粉末を使用すれば、この不都合を抑制することができるが、環境保護の見地から、水銀の使用をできるだけ回避する方向にあり、水銀を含まない、耐漏液性が優れたボタン型アルカリ電池が必要である。
【考案の要約】
【０００４】
本実用新案は水銀を含まないボタン型アルカリ電池を提供することを目的とする。
【０００５】
本実用新案の目的を達成するために次のような構成を有する。即ち、本実用新案のボタン型アルカリ電池は陽極容器、陰極蓋体、陽極混合物および陰極混合物を有する。上記陰極蓋体が外周縁に沿って折り返された折返し部を有し、陽極混合物と陰極混合物の間に隔膜を介在させ、隔離板の上方にガスケットを設ける。そのガスケットは底部と外壁を有する。上記の開口端部とガスケットの外壁の上縁を陰極蓋体の方向に向って曲げ、ガスケットの外壁の上縁が陰極蓋体の折返し部を締めつけ、かつ、陰極蓋体の外表面に接触させる。陰極蓋体の折返し部とガスケットの底部および外壁の間に封止剤層を設ける。
【０００６】
従来の技術に比べて、本実用新案のアルカリ電池は封止剤層によつて密封されるから、アルカリ電解液の漏れを効果的に防止し得る。それに、加工工程において、漏れに対する充分な阻止力を維持するために、陽極容器の開ロ端縁部を曲げてガスケットの圧縮を高めることは必要でなくなる。直接に陽極容器の開ロ端縁部とガスケットの上縁を陰極蓋体の方向に向って曲げ、ガスケットの外壁の上縁が陰極蓋体の折返し部を締めつけ、かつ、陰極蓋体の外表面に接触させる。このようにして、加工工程中に陰極蓋体の折返し部の底部が電池の中央側に変形することがなく、かつ加工の難しさを軽減させることができた。
【０００７】
実施例１
図５と図６において、本実用新案は陽極端子の作用をする陽極容器１と陰極端子の作用をする陰極蓋体２が含まれる。陽極容器１内には陽極混合物４が収容され、陰極蓋体２内には陰極混合物５が収容され、陽極混合物４と陰極混合物５の間に隔離板を介在させ、隔離板の上方にガスケット３を設ける。
【０００８】
上記ガスケット３は底部、内壁３０、外壁３２を有し、底部、内壁３０、外壁３２が一つの槽３４を形成する。内壁３０の厚さは上縁方向に沿って次第に減少する。（この特微は前述の従来技術の特微と相異する。）
上記陰極蓋体２は外方に向つた、U字状折返し部２０を有し、該折返し部２０はガスケット３の槽３４の中に収納される。陽極容器１の開ロ端縁１０とガスケット３の外壁３２の上縁を陰極蓋体の方向に向って曲げ、ガスケット３の外壁３２の上縁が陰極蓋体２のU字状折返し部２０を締めつけ、かつ、陰極蓋体２の外表面に接触させている。
【０００９】
陰極蓋体２のU字状折返し部２０およびガスケット３の底部、内壁３０、外壁３２の間に封止剤層７が設けられる。該層７は電解液の漏れを効果的に防止することができる。当封止剤層７の材料はエポキシ樹脂である。
【００１０】
図２乃至図６において、組み立てる時に、まずガスケット３を供し、ガスケット３の槽３４のなかに封止剤を注入した後、陰極蓋体２の該当部分を挿入し、陰極蓋体２に陰極混合物５を充填する。該陰極混合物５は水銀を含まない亞鉛粉末混合物である。
【００１１】
陽極容器１内には陽極混合物４を配する。陽極容器４は二酸化マンガン混合物で、それを餅状にプレスして、そのうえに２枚の隔離板６を載置し、これにアルカリ電解液を注入する。
【００１２】
陰極蓋体２と陽極容器１を組み立て、陰極混合物５が隔離板６に向つて添加されて、専用金型を用いてポンチで封止する。陽極容器１の開ロ端縁１０とガスケット３の外壁３２の上縁を陰極蓋体の方向に向つて曲げ、ガスケット３の外壁３２の上縁が陰極蓋体２のU字状折返し部２０を締めつけ、かつ、陰極蓋体２の外表面に接触させる。
【００１３】
図９、１０において、本実用新案の他の実施例が示される。ここでは、陽極端子の作用をする陽極容器１と陰極端子の作用をする陰極蓋体２が設けられて、陽極容器１内には陽極混合物４が収容され、陰極蓋体２には一つ隔離套部（又は隔離層）を装着する。また、陰極蓋体中に陰極混合物５を収容し、陽極混合物４と陰極混合物５の間に隔離板を介在させ、隔離板の上方にガスケット３を設ける。
【００１４】
上記ガスケット３は底部と外壁３２を有する。
【００１５】
上記陰極蓋体２は外方に向つた、U字状折返し部２０を有し、陽極容器１の開ロ端縁１０とガスケット３の外壁３２の上縁を陰極蓋体の方向に曲げ、ガスケット３の外壁３２の上縁が陰極蓋体２のU字状折返し部２０を締めつけ、かつ、陰極蓋体２の外表面に接触させる。
【００１６】
陰極蓋体２の内壁に隔離套部（又は隔離層）８を附加する。隔離套部（又は隔離層）８の形は陰極蓋体の内壁の形と対応し、その底部をガスケット３の底部に固定させ、かつ、ガスケット３の底部と外壁３２とが一つの槽を形成し、陰極蓋体２のU字状折り返し部２０を槽の中に収納する。陰極蓋体２のU字状折返し部２０と隔離層８、ガスケット３の底部と外壁３２の間に封止剤層を設ける。該槽は電解液の漏れを効果に防止できる。当封止剤層７の材料はエポキシ樹脂である。
【００１７】
図７乃至図１０において、電池を組み立てる時に、まず陰極蓋体２を供し、封止剤によつて隔離套部（又は隔離層）８を陰極蓋体２の内表面に装着し、隔離套部（又は隔離層）８の底部と陰極蓋体２のU字状折返し部の底部に封止剤層７を設けた上で、ガスケット３内に挿入する。陰極蓋体内に陰極混合物５を配置する。当陰極混合物５は水銀を含まない亞鉛粉末混合物である。
【００１８】
他の組立て方法は実施方法１と同様である。
【００１９】
作製した水銀を含まないボタン型アルカリ電池を用いてL736(LR41) 電池を製造して、高温４５℃、相対湿度９０％、および高温６０℃、相対湿度９０％の条件で放置した後、以下の結果を得た。
【表１】
0003131145.tif 000003
【００２０】
上記の結果から、ガスケット３を使用し隙間の中に封止剤層７を設けることにより電解液の漏れを減少できると考えられる。かくて、非漏液の水銀を含まないボタン型アルカリ電池の所期の目的を逹した。
【００２１】
従来技術の電池陽極容器の開ロ端縁を内にしぼる工程において、耐漏液性に対する充足な阻止力を維持するために、電池の径方向に沿つて陽極容器の開ロ端縁を曲げることによって更にガスケットの圧縮を高める時に、ガスケットの陰極蓋体への圧縮力も強くなり、陰極蓋体の折返し部の底部が電池中央側に変形することがあつた。この陰極蓋体の折返し部の底部が電池中央側に変形する結果、耐漏液性を維持するのに必要なガスケットの圧縮が得られなくなり、電池は電解液の漏れに対する阻止力が減少するので、電解液の漏れが容易に生じる。本実用新案は封止剤層７によつて密封するので、加工工程において、耐漏液性に対する充足な阻止力を維持するために、陽極容器１の開ロ端縁１０を曲げることによってガスケット３の圧縮を高める工程が不要となる。そのかわりに、陽極容器１の開ロ端縁１０とガスケット３の外壁３２の上縁を陰極蓋体２の方向に向つて曲げ、ガスケット３の外壁３２の上縁が陰極蓋体２のU字状折返し部２０を締めつけ、かつ、陰極蓋体２の外表面に接触させる。このように加工工程中に陰極蓋体２のU字状折返し部２０の底部が電池の中央側に変形することがない。また、加工の困難も軽減される。
【００２２】
本実用新案を具体的な実施例によって説明したが、これによつて本実用新案の範囲を制限するものではない。本実用新案明細書の記載を参照することにより、上記実施例以外の態様が当業者に容易に予測できるものである故に、かかる変化も請求の範囲と主旨を逸脱するものではない。
【図面の簡単な説明】
【００２３】
【図１】図１  従来の技術のボタン型アルカリ電池を示す概略断面図。
【図２】図２  本実用新案のガスケットを示す概略断面図。
【図３】図３  本実用新案のガスケットと陰極蓋体の組立てを示す概略断面図。
【図４】図４  本実用新案のガスケットと陰極蓋体の組立てを示す概略断面図。
【図５】図５  本実用新案のボタン型アルカリ電池を示す概略断面図。
【図６】図６  本実用新案のボタン型アルカリ電池を示す概略断面図。
【図７】図７  本実用新案の他の実施例の隔離套部（又は隔離層）を示す概略断面図。
【図８】図８  本実用新案の他の実施例の隔離套部（又は隔離層）と陰極蓋体の組立てを示す概略断面図。
【図９】図９  本実用新案の他の実施例の隔離套部（又は隔離層）、陰極蓋体およびガスケットの組立てを示す概略断面図。
【図１０】図１０  本実用新案の他の実施例のボタン型アルカリ電池を示す概略断面図。
【図１】
0003131145.tif 000004
【図２】
0003131145.tif 000005
【図３】
0003131145.tif 000006
【図４】
0003131145.tif 000007
【図５】
0003131145.tif 000008
【図６】
0003131145.tif 000009
【図７】
0003131145.tif 000010
【図８】
0003131145.tif 000011
【図９】
0003131145.tif 000012
【図１０】
0003131145.tif 000013